(57)【要約】      （修正有）【課題】組立時に機器本体等に傷がつくことがなく、操作ボタンの外観形状の小型化及び操作性を向上させ、さらに、シール性能の向上が図れる操作ボタンの保持構造を低コストで実現する。【解決手段】ボタン部材１４Ａが、正面側カバー２の裏面側から穴部２７に挿入されるキートップ２６、正面側カバー２の裏面に係合するフランジ部２８、スイッチを押圧する押し軸２９を有する絞込みボタン１４と、正面側カバー２に対して位置決めされる位置決め手段３１を有する支持アーム３０とを具備する。支持アーム３０には係合部３６、３７が設けられ、正面側カバー２に設けられた複数の被係合部３３〜３５に挟まれて弾性変形した状態で正面側カバー２に保持されている。【選択図】図３
2018044974.tif 000002
【特許請求の範囲】
【請求項１】
押圧部材を保持する外装カバーを備える電子機器であって、
前記押圧部材は、
前記外装カバーに形成された穴部に前記外装カバーの裏面側から挿入されて外観に露出するキートップ、前記キートップの反対側の端部に設けられて前記外装カバーの裏面に係合するフランジ部、及び押し操作することで機器本体に設けられたスイッチを押圧する押し軸を有する操作ボタンと、
前記フランジ部から前記外装カバーの裏面に沿って延設され、前記外装カバーに対して位置決めされる位置決め手段を有する支持アームと、を備え、
前記支持アームには、延設方向の複数箇所に係合部が設けられ、
前記支持アームは、前記複数箇所の係合部が前記複数箇所の係合部に応じて前記外装カバーに設けられた複数の被係合部に挟まれて弾性変形した状態で前記外装カバーに保持されていることを特徴とする電子機器。
【請求項２】
前記キートップは、略円筒状に形成されていることを特徴とする請求項１に記載の電子機器。
【請求項３】
前記支持アームは、前記フランジ部から延設される複数のアーム部を有することを特徴とすることを特徴とする請求項１又は２に記載の電子機器。
【請求項４】
前記複数のアーム部のうち、一方のアーム部は、前記操作ボタンの中心を通る線方向に沿って延設されていることを特徴とする請求項３に記載の電子機器。
【請求項５】
前記複数のアーム部は、途中で屈曲した状態で延設されていることを特徴とする請求項３又は４に記載の電子機器。
【請求項６】
前記複数箇所の係合部は、前記屈曲した部分の前記支持アームの先端側に配置されていることを特徴とする請求項５に記載の電子機器。
【請求項７】
前記機器本体は、レンズユニットが装着されるカメラ本体であり、前記キートップの押し操作の方向は、前記レンズユニットの光軸方向に対して略直交していることを特徴とする請求項１乃至６のいずれか一項に記載の電子機器。
【発明の詳細な説明】
【技術分野】
【０００１】
本発明は、例えばデジタル一眼レフカメラ等の撮像装置を含む電子機器に関し、特に電子機器に設けられる操作ボタンの保持構造に関する。
【背景技術】
【０００２】
デジタル一眼レフカメラ等の電子機器に設けられる操作ボタンの保持構造としては、例えば図８に示す構造が知られている（第１の従来例）。図８（ａ）は操作ボタン１０４を保持した外装カバー１０２を機器本体１０９に取り付けた状態を示す要部断面図、図８（ｂ）は操作ボタン１０４を保持した外装カバー１０２を機器本体１０９に取り付ける様子を示す要部断面図である。
【０００３】
図８において、操作ボタン１０４は、キートップ１０４ａの中央部に機器本体１０９側のスイッチ１１０を押圧する押し軸１０６が設けられ、押し軸１０６の径方向両側には、２本の係止フック１０５が互いに径方向に対向して設けられている。係止フック１０５は、外装カバー１０２に形成された穴部１０７に対して軸方向に移動可能に挿通されており、図８（ａ）に示す状態では、外装カバー１０２に係止されて抜け止めがなされている。
【０００４】
そして、この状態で操作ボタン１０４を押し操作することで、押し軸１０６によりスイッチ１１０が押圧される。このとき、操作ボタン１０４が必要以上に押し込まれないようにするため、キートップ１０４ａが外装カバー１０２に当接して必要以上の押し込み操作が規制される。
【０００５】
つまり、係止フック１０５が外装カバー１０２に係止された図８（ａ）に示す状態では、キートップ１０４ａと外装カバー１０２との間には、隙間１１１が設けられており、この隙間１１１により操作ボタン１０４の押しストロークを確保している。
【０００６】
また、第２の従来例として、保持部を有する外装カバーと、ボタン部材と、外装カバーとの間にボタン部材を保持した状態で外装カバーに固定される受け部材とを備える押圧式スイッチ装置が提案されている（特許文献１）。この提案では、ボタン部材に、押圧操作可能な操作ボタン部、保持部に係合する係合部、および操作ボタン部と係合部とを接続する支持アームが形成され、支持アームには、受け部材に当接する凸部が設けられている。
【０００７】
そして、受け部材は、外装カバーに固定される際に、支持アームの係合部と凸部との間の部分を弾性変形させた状態で外装カバーに固定され、これにより、操作ボタン部を押し操作する際のがたつきを防止している。
【先行技術文献】
【特許文献】
【０００８】
【特許文献１】特開２０１３−１８２６６５号公報
【発明の概要】
【発明が解決しようとする課題】
【０００９】
しかし、上記第１の従来例では、図８（ｂ）に示すように、前記隙間１１１がゼロの状態で外装カバー１０２を機器本体１０９に取り付ける際、操作ボタン１０４の押し軸１０６がスイッチ１１０や機器本体１０９に干渉する可能性がある。その結果、組み付作業性が低下するとともに、スイッチ１１０や機器本体１０９に傷がつくおそれがある。また、前記隙間１１１を必要とするため、外装カバー１０２の表面からの操作ボタン１０４の突出量を抑えることが難しく、操作ボタン１０４の外観形状が大型化し、更には、操作ボタン１０４を押し操作する際に、操作ボタン１０４ががたついて操作性が低下する。更に、外装カバー１０２には、操作ボタン１０４の係止フック１０５が挿通する穴部１０７が形成されているため、シール性能を向上させることが難しい。
【００１０】
一方、上記第２の従来例では、支持アームの係合部と凸部との間の部分を弾性変形させる受け部材が外装カバーと別の部材で構成されているため、部品点数が増えてその分コストアップとなる。
【００１１】
そこで、本発明は、組立時に機器本体等に傷がつくことがなく、操作ボタンの外観形状の小型化及び操作性を向上させ、さらに、シール性能の向上が図れる操作ボタンの保持構造を低コストで実現する電子機器を提供することを目的とする。
【課題を解決するための手段】
【００１２】
上記目的を達成するために、本発明は、押圧部材を保持する外装カバーを備える電子機器であって、前記押圧部材は、前記外装カバーに形成された穴部に前記外装カバーの裏面側から挿入されて外観に露出するキートップ、前記キートップの反対側の端部に設けられて前記外装カバーの裏面に係合するフランジ部、及び押し操作することで機器本体に設けられたスイッチを押圧する押し軸を有する操作ボタンと、前記フランジ部から前記外装カバーの裏面に沿って延設され、前記外装カバーに対して位置決めされる位置決め手段を有する支持アームと、を備え、前記支持アームには、延設方向の複数箇所に係合部が設けられ、前記支持アームは、前記複数箇所の係合部が前記複数箇所の係合部に応じて前記外装カバーに設けられた複数の被係合部に挟まれて弾性変形した状態で前記外装カバーに保持されていることを特徴とする。
【発明の効果】
【００１３】
本発明によれば、組立時に機器本体等に傷がつくことがなく、操作ボタンの外観形状の小型化及び操作性を向上させ、さらに、シール性能の向上が図れる操作ボタンの保持構造を低コストで実現する電子機器を提供することができる。
【図面の簡単な説明】
【００１４】
【図１】（ａ）は本発明の電子機器の実施形態の一例であるデジタル一眼レフカメラを正面側から見た斜視図、（ｂ）は（ａ）に示すデジタル一眼レフカメラを上面側から見た図である。
【図２】図１（ａ）に示す絞込みボタン周りの正面側カバーを切り出した分解斜視図である。
【図３】図２に示すボタン部材及び正面側カバーを裏面側から見た斜視図である。
【図４】図３の矢印Ａ方向から見た斜視図である。
【図５】ボタン部材が正面側カバーに保持された状態を正面側カバーの裏面側から見た図である。
【図６】図５のＸ−Ｘ線断面図である。
【図７】ボタン部材を正面側カバーに組み込む方法について説明する図である。
【図８】従来の操作ボタンの保持構造の一例を示す要部断面図である。
【発明を実施するための形態】
【００１５】
以下、図面を参照して、本発明の実施形態の一例を説明する。
【００１６】
図１（ａ）は本発明の電子機器の実施形態の一例であるデジタル一眼レフカメラを正面側（被写体側）から見た斜視図、図１（ｂ）は図１（ａ）に示すデジタル一眼レフカメラを上面側から見た図である。なお、本実施形態では、電子機器として、撮像装置の一例であるデジタル一眼レフカメラを例示するが、これに限定されない。
【００１７】
本実施形態のデジタル一眼レフカメラは、図１に示すように、それぞれ樹脂等で形成された正面側カバー２、上面側カバー３及び背面側カバー４によりカメラ本体１の外装を構成している。カメラ本体１の上面部には、モードダイアル７、電源スイッチ５、レリーズボタン６、メイン電子ダイアル８及びポップアップ式のストロボ装置９等が設けられている。カメラ本体１の正面側には、不図示のレンズユニットが着脱可能に装着されるマウント部１１が設けられている。カメラ本体１は、本発明の機器本体の一例に相当し、正面側カバー２は、本発明の外装カバーの一例に相当する。
【００１８】
カメラ本体１の正面側から見て、マウント部１１の左側には、ユーザが把持するグリップ部１０が設けられている。カメラ本体１の正面側から見て、マウント部１１の右側中央には、レンズユニットの着脱操作用のアンロックボタン１２が設けられ、右側上部には、ストロボ装置９のポップアップボタン１３が設けられ、右側下部には、絞込みボタン１４が設けられている。
【００１９】
絞込みボタン１４は、撮影時にユーザが押し操作することによって、その時設定されている絞り数値で撮影レンズの絞込みが行われ、実際にピントの合う範囲（被写界深度）をファインダ上で確認することが可能となる。絞込みボタン１４は、本発明の操作ボタンの一例に相当する。
【００２０】
図２は、図１（ａ）に示す絞込みボタン１４周りの正面側カバー２を切り出した分解斜視図である。図２に示すように、カメラ本体１のマウント部１１の背面側には、円筒面２０がマウント部１１と略同軸に形成され、円筒面２０には、フレキシブル基板２１の位置決め穴２５が圧入される位置決め凸部２４が突設されている。
【００２１】
フレキシブル基板２１には、押圧部材であるボタン部材１４Ａを構成する絞込みボタン１４の押し軸２９（図３参照）により押圧されるスイッチ２２が実装されている。絞込みボタン１４のキートップ２６を押し操作すると、押し軸２９によりスイッチ２２が押され、これにより、スイッチ２２から検知信号が不図示の信号処理回路に出力されて所定の信号処理が行われる。なお、本実施形態では、キートップ２６は、略円筒状に形成され、その押し操作の方向は、レンズユニットの光軸方向に対して略直交する方向になっている。
【００２２】
絞込みボタン１４のキートップ２６の反対側の端部には、フランジ部２８が形成されている。正面側カバー２に形成された穴部２７に対して、正面側カバー２の裏面側からキートップ２６を挿入することで、キートップ２６が外観に露出される。このとき、正面側カバー２の裏面にフランジ部２８が係合し、これにより、外部からの光線や水滴、塵埃等のカメラ本体１内への浸入が防止されてシール性能が向上するとともに、絞込みボタン１４の抜け止めがなされる。
【００２３】
図３は、図２に示す押圧部材であるボタン部材１４Ａ及び正面側カバー２を裏面側から見た斜視図である。図４は、図３の矢印Ａ方向から見た斜視図である。図３において、ボタン部材１４Ａは、樹脂等で形成されており、ボタン部材１４Ａを構成する絞込みボタン１４のフランジ部２８からは複数のアーム部３０ａ，３０ｂを有する支持アーム３０が延設されている。アーム部３０ａ，３０ｂのうち、一方のアーム部３０ａは、絞込みボタン１４の位置を安定させるために、絞込みボタン１４の中心を通る線方向に沿って延設され、他方のアーム部３０ｂは、フランジ部２８の外周部の接線方向に沿って延設されている。
【００２４】
アーム部３０ａ，３０ｂは、互いに略平行に配置されており、アーム部３０ａ，３０ｂの間に開口部４００が形成されることで、アーム部３０ａ，３０ｂを弾性変形しやすくして後述する組み立て作業性（図７参照）を向上させている。また、支持アーム３０は、正面側カバー２の裏面に沿うように途中で略９０°屈曲して形成されている。
【００２５】
アーム部３０ａ，３０ｂの先端部は、係合部３７に接続され、係合部３７の先端側には、係合部３６が設けられ、係合部３６と係合部３７との間には、正面側カバー２に設けられた位置決め部３２に係合する位置決め溝部３１が形成されている。また、図４に示すように、アーム部３０ａ，３０ｂには、屈曲した部分３９の位置にそれぞれ係合部３８が設けられている。そして、係合部３６，３７，３８は、それぞれ正面側カバー２に設けられた被係合部３３，３４，３５に当接して保持される（図６参照）。
【００２６】
図５は、ボタン部材１４Ａが正面側カバー２に保持された状態を正面側カバー２の裏面側から見た図である。図６は、図５のＸ−Ｘ線断面図である。ボタン部材１４Ａが正面側カバー２に保持された状態では、図６に示すように、ボタン部材１４Ａの係合部３６は、正面側カバー２の被係合部３３によって押圧されて矢印Ｂ方向に力を受ける。このとき、絞込みボタン１４には、矢印Ｃ方向に回転する力が加わるが、係合部３７を支点として、付勢力を保った状態で係合部３８が被係合部３５に突き当たって保持される。
【００２７】
つまり、ボタン部材１４Ａの支持アーム３０は、延設方向の複数箇所に設けられた係合部３６〜３８が正面側カバー２の被係合部３３，３５と被係合部３４との間に挟まれて弾性変形した状態で安定した位置に保持される。このため、ボタン部材１４Ａを保持した状態の正面側カバー２を組み込む際に、絞込みボタン１４の押し軸２９がスイッチ２２やカメラ本体１が干渉して傷がつく等の問題を防止することができる。
【００２８】
また、係合部３８は、アーム部３０ａ，３０ｂの屈曲部分３９の位置にそれぞれ設けられ、屈曲部分３９は、絞込みボタン１４の中心を通る線上に配置されている。このため、アーム部３０ａ，３０ｂ等が弾性変形しても絞込みボタン１４には傾き方向の力が加わらないため、絞込みボタン１４のキートップ２６が傾くことはない。更に、キートップ２６を押し操作した際に、屈曲部分３９を支点としてアーム部３０ａ，３０ｂが弾性変形するが、この弾性変形の方向とキートップ２６の押し操作の方向は同一であるため、キートップ２６を押し操作する際の操作性が向上する。
【００２９】
次に、図３、図４及び図７を参照して、ボタン部材１４Ａを正面側カバー２に組み込む方法について説明する。図７（ａ）は、絞込みボタン１４のキートップ２６を正面側カバー２の穴部２７に挿入した状態を正面側カバー２の裏面側から見た斜視図である。図７（ｂ）は、ボタン部材１４Ａの位置決め溝部３１が正面側カバー２の位置決め部３２に係合する直前の状態を正面側カバー２の裏面側から見た斜視図である。図７（ｃ）は、ボタン部材１４Ａの位置決め溝部３１が正面側カバー２の位置決め部３２に係合した状態を正面側カバー２の裏面側から見た斜視図である。
【００３０】
まず、図７（ａ）に示すように、ピンセット４０等でアーム部３０ａ，３０ｂを挟み、位置決め溝部３１が正面側カバー２に干渉しない姿勢でキートップ２６を正面側カバーの穴部２７に挿入する。
【００３１】
次に、ピンセット４０等でアーム部３０ａ，３０ｂを挟んだ状態で図７（ａ）の矢印方向に絞込みボタン１４を回転させ、図７（ｂ）及び図７（ｃ）に示すように、位置決め溝部３１を正面側カバー２の位置決め部３２を乗り越えさせて位置決め部３２に係合させる。
【００３２】
このとき、ピンセット４０等でアーム部３０ａ，３０ｂを図７（ｂ）の矢印方向に弾性変形させて位置決め溝部３１を正面側カバー２の位置決め部３２を乗り越えさせる。アーム部３０ａ，３０ｂを弾性変形させる際には、アーム部３０ａ，３０ｂは、樹脂等で形成されているため、ピンセット４０が滑ると、作業性が低下するが、アーム部３０ａ，３０ｂにストッパ部４１を形成することで、ピンセット４０の滑りを防止している。
【００３３】
以上説明したように、本実施形態では、組立時にカメラ本体１等に傷がつくことがなく、絞込みボタン１４の外観形状の小型化及び操作性を向上させ、さらに、シール性能の向上が図れる絞込みボタン１４の保持構造を低コストで実現することができる。
【００３４】
なお、本発明の構成は、上記実施形態に例示したものに限定されるものではなく、材質、形状、寸法、形態、数、配置箇所等は、本発明の要旨を逸脱しない範囲において適宜変更可能である。
【００３５】
例えば、上記実施形態では、電子機器として、レンズユニットが着脱可能なデジタル一眼レフカメラを例示したが、沈胴式レンズが内蔵されたコンパクトデジタルカメラや撮像装置以外の電子機器に本発明を適用してもよい。
【符号の説明】
【００３６】
１  カメラ本体
２  正面側カバー
１４  絞込みボタン
１４Ａ  ボタン部材
２２  スイッチ
２６  キートップ
２７  穴部
２８  フランジ部
２９  押し軸
３０  支持アーム
３０ａ，３０ｂ  アーム部
３３〜３５  被係合部
３６〜３８  係合部
【図１】
2018044974.tif 000003
【図２】
2018044974.tif 000004
【図３】
2018044974.tif 000005
【図４】
2018044974.tif 000006
【図５】
2018044974.tif 000007
【図６】
2018044974.tif 000008
【図７】
2018044974.tif 000009
【図８】
2018044974.tif 000010